(57)【要約】【課題】濁った状態の調光層を介した被写体の視認性を低下させることを可能とした調光装置、および、調光装置の管理方法を提供する。【解決手段】透明な状態である第１状態と、濁った状態である第２状態とを、駆動電圧の印加の有無に応じた液晶分子の配向の切り替わりで切り替え可能に構成された調光層１１と、調光層１１を挟む一対の透明電極層１２とを備えた調光シートを備え、調光層１１は、駆動電圧が印加されていないときに第２状態であり、ＪＩＳ  Ｋ  ７３７４：２００７に準拠した透過像鮮明度であって、光学くし目幅が０．１２５ｍｍに設定されたときの透過像鮮明度が、調光シートの透過像鮮明度であり、調光層１１が第２状態であるときに、調光シートの透過像鮮明度が７０％以下である。【選択図】図１
2019200284.tif 000002
【特許請求の範囲】
【請求項１】
透明な状態である第１状態と、濁った状態である第２状態とを、駆動電圧の印加の有無に応じた液晶分子の配向の切り替わりで切り替え可能に構成された調光層と、前記調光層を挟む一対の透明電極層とを備えた調光シートを備え、
前記調光層は、前記駆動電圧が印加されていないときに前記第２状態であり、
ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度であり、
前記調光層が前記第２状態であるときに、前記調光シートの透過像鮮明度が７０％以下である
調光装置。
【請求項２】
透明な状態である第１状態と、濁った状態である第２状態とを、駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートと、
前記駆動電圧の印加の有無を切り替える駆動回路と、を備え、
前記調光層は、前記駆動電圧が印加されているときに前記第２状態であり、
ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度であり、
前記駆動回路は、前記調光層を前記第２状態とするときに、前記調光シートの透過像鮮明度が７０％以下となる前記駆動電圧を前記透明電極層に印加する
調光装置。
【請求項３】
透明な状態である第１状態と、濁った状態である第２状態とを、駆動電圧の印加の有無に応じた液晶分子の配向の切り替わりで切り替え可能に構成された調光層と、前記調光層を挟む一対の透明電極層と、を備えた調光シートを備え、
前記調光層は、前記駆動電圧が印加されていないときに前記第２状態であり、
前記調光層が前記第２状態であるときに、前記調光シートのクラリティ（ｃｌａｒｉｔｙ）が８９．１％以下であり、
前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される
１００×（ｌＣ−ｌＲ）／（ｌＣ＋ｌＲ）  …  式（１）
調光装置。
【請求項４】
駆動電圧を出力する駆動回路と、
透明な状態である第１状態と、濁った状態である第２状態とを、前記駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートを備え、
前記調光層は、前記駆動電圧が印加されているときに前記第２状態であり、
前記駆動回路は、前記調光層を前記第２状態とするときに、前記調光シートのクラリティ（ｃｌａｒｉｔｙ）が８９．１％以下となる前記駆動電圧を前記透明電極層に印加し、
前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される
１００×（ｌＣ−ｌＲ）／（ｌＣ＋ｌＲ）  …  式（１）
調光装置。
【請求項５】
前記調光層が前記第２状態であるときに、ＪＩＳ  Ｋ  ７１３６：２０００に準拠した前記調光シートのヘイズ（ｈａｚｅ）が、９５％以上である
請求項１から４のいずれか一項に記載の調光装置。
【請求項６】
透明な状態である第１状態と、濁った状態である第２状態とを、駆動電圧の印加の有無に従う液晶分子の配向の切り替えによって切り替える調光層と、前記調光層を挟む一対の透明電極層と、を備える調光シートを備えた調光装置を管理する調光装置の管理方法であって、
ＪＩＳ  Ｋ  ７３７４：２００７に準拠した透過像鮮明度であって、光学くし目幅が０．１２５ｍｍに設定されたときの透過像鮮明度が、前記調光シートの透過率鮮明度であり、
前記調光層が正常であるか否かを判定することを含み、
前記調光層が正常であると判定する条件に、前記調光層が前記第２状態であるときに、前記調光シートの透過率鮮明度が７０％以下であることを含む
調光装置の管理方法。
【請求項７】
透明な状態である第１状態と、濁った状態である第２状態とを、駆動電圧の印加の有無に従う液晶分子の配向の切り替えによって切り替える調光層と、前記調光層を挟む一対の透明電極層と、を備える調光シートを備えた調光装置を管理する調光装置の管理方法であって、
前記調光層が正常であるか否かを判定することを含み、
前記調光層が正常であると判定する条件に、前記調光層が前記第２状態であるときに、クラリティ（ｃｌａｒｉｔｙ）が８９．１％以下であることを含み、
前記クラリティは、前記調光層を透過した光のなかで、前記調光層に入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される
１００×（ｌＣ−ｌＲ）／（ｌＣ＋ｌＲ）  …  式（１）
調光装置の管理方法。
【発明の詳細な説明】
【技術分野】
【０００１】
本発明は、調光装置、および、調光装置の管理方法に関する。
【背景技術】
【０００２】
調光装置は、調光層と、調光層の厚さ方向において調光層を挟む一対の透明電極と、一対の透明電極間に電圧を印加する駆動回路とを備える。調光層は、複数のドメインを含むポリマーネットワークと、ポリマーネットワーク内に充填され、複数の液晶分子を含む液晶組成物とを含む。調光装置では、調光層に対して液晶分子を駆動する駆動電圧が印加されている状態であるか、あるいは、印加されていない状態であるかに応じて、調光層の状態が、透明の状態と白濁した状態との間で切り替わる。調光装置は、調光層の状態を透明な状態と白濁した状態との間で切り替えることによって、調光層を挟む２つの空間において、一方の空間から他方の空間に向けた像の視認性を変える。調光層が白濁した状態とは、調光層で光が散乱している状態であるから、調光層におけるヘイズ（ＪＩＳ  Ｋ  ７１３６：２０００）の値を用いて評価されていた（例えば、特許文献１を参照）。
【先行技術文献】
【特許文献】
【０００３】
【特許文献１】特開２０１８−３１８７０号公報
【発明の概要】
【発明が解決しようとする課題】
【０００４】
ところで、調光装置は、調光層が白濁した状態であることによって、一方の空間に存在する人物や物体などの被写体が他方の空間に存在する人物によって視認されることを抑える。つまり、調光装置は、一方の空間に存在する被写体のプライバシーを、他方の空間に存在する人物から保護することを本質的、根源的な機能として持つ。
【０００５】
一方で、調光装置において、建物の窓、ドア、および、壁、車両のフロントドアガラス、車両のリアドアガラス、および、車両のサンルーフガラスなどの各種の対象に対する適用が検討されている。この場合、例えば、調光層が区画する空間での照明の輝度範囲が広がるため、高輝度の照明が配置されると、空間内に存在する被写体のプライバシーが保護され難くなる。また、例えば、調光層と被写体との間の距離の範囲が広がるため、調光層と被写体との距離が短い場合にも、空間内に存在する被写体のプライバシーが保護され難くなる。それゆえに、上述した調光装置では、調光層が白濁した状態においてさらに調光層を介した被写体の視認性を低くすることが望まれている。
【０００６】
本発明は、濁った状態の調光層を介した被写体の視認性を低下させることを可能とした調光装置、および、調光装置の管理方法を提供することを目的とする。
【課題を解決するための手段】
【０００７】
上記課題を解決するための調光装置は、透明な状態である第１状態と、濁った状態である第２状態とを、駆動電圧の印加の有無に応じた液晶分子の配向の切り替わりで切り替え可能に構成された調光層と、前記調光層を挟む一対の透明電極層とを備えた調光シートを備える。前記調光層は、前記駆動電圧が印加されていないときに前記第２状態である。ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度である。そして、前記調光層が前記第２状態であるときに、前記調光シートの透過像鮮明度が７０％以下である。
【０００８】
上記課題を解決するための調光装置は、透明な状態である第１状態と、濁った状態である第２状態とを、駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートと、前記駆動電圧の印加の有無を切り替える駆動回路と、を備える。前記調光層は、前記駆動電圧が印加されているときに前記第２状態である。ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度である。そして、前記駆動回路は、前記調光層を前記第２状態にするときに、前記調光シートの透過像鮮明度が７０％以下となる前記駆動電圧を前記透明電極層に印加する。
【０００９】
上記各構成によれば、調光層が濁った状態であるときに、調光シートの透過像鮮明度が７０％以下であるため、調光層が濁った状態において調光シートを介した視認性を低下させることができる。
【００１０】
上記課題を解決するための調光装置は、透明な状態である第１状態と、濁った状態である第２状態とを、駆動電圧の印加の有無に応じた液晶分子の配向の切り替わりで切り替え可能に構成された調光層と、前記調光層を挟む一対の透明電極層と、を備えた調光シートを備える。前記調光層は、前記駆動電圧が印加されていないときに前記第２状態である。そして、前記調光層が前記第２状態であるときに、前記調光シートのクラリティ（ｃｌａｒｉｔｙ）が８９．１％以下である。前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される。
１００×（ｌＣ−ｌＲ）／（ｌＣ＋ｌＲ）  …  式（１）
【００１１】
上記課題を解決するための調光装置は、駆動電圧を出力する駆動回路と、透明な状態である第１状態と、濁った状態である第２状態とを、前記駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートを備える。前記調光層は、前記駆動電圧が印加されているときに前記第２状態である。そして、前記駆動回路は、前記調光層を前記第２状態とするときに、前記調光シートのクラリティ（ｃｌａｒｉｔｙ）が８９．１％以下となる前記駆動電圧を前記透明電極層に印加する。前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、上記の式（１）によって算出される。
【００１２】
上記各構成によれば、調光層が濁った状態であるときに、調光シートのクラリティが８９．１％以下であるため、調光層が濁った状態において調光シートを介した視認性を低下させることができる。
【００１３】
上記調光装置において、前記調光層が前記第２状態であるときに、ＪＩＳ  Ｋ  ７１３６：２０００に準拠した前記調光シートのヘイズ（ｈａｚｅ）が、９５％以上であってもよい。上記構成によれば、調光シート越しに観察された被写体の輪郭における鮮明さを低下させることに加え、被写体と被写体の周りとのコントラストを低下させることもできる。それゆえに、調光層が第２状態である場合に、調光シートによる被写体の隠蔽性をより高めることができる。
【００１４】
上記課題を解決するための調光装置の管理方法は、透明な状態である第１状態と、濁った状態である第２状態とを、駆動電圧の印加の有無に従う液晶分子の配向の切り替えによって切り替える調光層と、前記調光層を挟む一対の透明電極層と、を備える調光シートを備えた調光装置を管理する調光装置の管理方法である。ＪＩＳ  Ｋ  ７３７４：２００７に準拠した透過像鮮明度であって、光学くし目幅が０．１２５ｍｍに設定されたときの透過像鮮明度が、前記調光シートの透過率鮮明度である。そして、前記調光層が正常であるか否かを判定することを含み、前記調光層が正常であると判定する条件に、前記調光層が前記第２状態であるときに、前記調光シートの透過率鮮明度が７０％以下であることを含む。
【００１５】
上記課題を解決するための調光装置の管理方法は、透明な状態である第１状態と、濁った状態である第２状態とを、駆動電圧の印加の有無に従う液晶分子の配向の切り替えによって切り替える調光層と、前記調光層を挟む一対の透明電極層と、を備える調光シートを備えた調光装置を管理する調光装置の管理方法である。そして、前記調光層が正常であるか否かを判定することを含み、前記調光層が正常であると判定する条件に、前記調光層が前記第２状態であるときに、クラリティ（ｃｌａｒｉｔｙ）が８９．１％以下であることを含む。前記クラリティは、前記調光層を透過した光のなかで、前記調光層に入射した平行光の光軸に対して直進する直進光の光量を光量ｌＣとし、前記平行光の前記光軸に対する角度が±２．５°以内である狭角散乱光の光量を光量ｌＲとするときに、上記の式（１）によって算出される。
【００１６】
上記各管理方法によれば、調光層が濁った状態であるときに、調光シートの透過像鮮明度が７０％以下である、あるいは、クラリティが８９．１％以下である。そのため、調光装置の製造段階や、調光装置の使用段階において、調光層が濁った状態において調光シートを介した視認性を低下させることが可能な調光装置を提供できる。
【発明の効果】
【００１７】
本発明に係る調光装置、および、調光装置の管理方法によれば、濁った状態の調光層を介した被写体の視認性を確実に低下させることを可能にする。
【図面の簡単な説明】
【００１８】
【図１】調光装置の第１の構成において調光層に駆動電圧が印加されていない状態を示す断面図。
【図２】調光装置の第１の構成において調光層に駆動電圧が印加されている状態を示す断面図。
【図３】調光装置の第２の構成において調光層に駆動電圧が印加されていない状態を示す断面図。
【図４】調光装置の第２の構成において調光層に駆動電圧が印加されている状態を示す断面図。
【図５】透過像鮮明度の測定装置の構成を測定対象である調光装置とともに模式的に示す図。
【図６】透過像鮮明度の測定装置において受光される光量のグラフ。
【図７】クラリティの測定装置の構成を測定対象である調光装置とともに模式的に示す図。
【図８】試験例における各調光装置のヘイズ、透過像鮮明度、および、クラリティの各々の値を示すグラフ。
【図９】調光装置の隠蔽性を評価するときの評価方法を模式的に示す図。
【発明を実施するための形態】
【００１９】
図１から図９を参照して、調光装置、および、調光装置の管理方法の一実施形態を説明する。以下では、調光装置の構成、透過像鮮明度の測定方法、クラリティ（ｃｌａｒｉｔｙ）の測定方法、調光装置の管理方法、および、試験例を順に説明する。なお、本実施形態では、調光シート越しに存在するもの、つまり調光シートによって秘匿したいものを総称して被写体と表す。被写体には、例えば、人物、装置、および、静物などが含まれる。
【００２０】
［調光装置の構成］
図１から図４を参照して、調光装置の構成を説明する。
本実施形態における調光装置には、以下に説明する第１の構成と第２の構成とが含まれる。
【００２１】
［第１の構成］
図１および図２を参照して、調光装置の第１の構成を説明する。
図１は、調光装置の第１の構成において、駆動電圧が印加されていない状態を示す。駆動電圧は、調光層に含まれる液晶分子の配向を切り替えるための電圧である。これに対して、図２は、調光装置の第１の構成において、駆動電圧が印加されている状態を示す。
【００２２】
図１が示すように、調光装置１０は、調光シートを備える。調光シートは、調光層１１と、一対の透明電極層１２とを備える。調光層１１は、ポリマーネットワーク１１Ａと、液晶組成物１１Ｂとを備える。ポリマーネットワーク１１Ａは、複数のドメイン１１Ｄを含む。各ドメイン１１Ｄは、ポリマーネットワーク１１Ａ内に形成された空隙である。空隙は、ポリマーネットワーク１１Ａによって孤立した空間であってもよいし、他の空隙と繋がる空間であってもよい。液晶組成物１１Ｂは、ドメイン１１Ｄ内に充填され、複数の液晶分子１１ＢＬを含む。
【００２３】
一対の透明電極層１２は、調光層１１の厚さ方向において、調光層１１を挟む。各透明電極層１２は、可視光領域の光に対する透過性を有する。各透明電極層１２を形成する材料には、例えば、透明導電性酸化物（ＴＣＯ）、および、導電性ポリマーなどを挙げることができる。
【００２４】
調光装置１０は、一対の透明基材１３をさらに備える。一対の透明基材１３は、調光層１１の厚さ方向において、一対の透明電極層１２を挟む。各透明基材１３は、可視光領域の光に対する透過性を有する。各透明基材１３を形成する材料には、例えば、ガラス、および、合成樹脂などを挙げることができる。
【００２５】
調光層１１は、透明な状態である第１状態と、濁った状態である第２状態とに切り替わる。調光層１１において、液晶分子１１ＢＬを駆動する駆動電圧の印加の有無に応じて液晶分子１１ＢＬの配向が切り替わることによって、第１状態と第２状態とが切り替わる。調光層１１は、駆動電圧が印加されていないときに第２状態である。上述したように、図１が示す調光装置１０において、一対の透明電極層１２には駆動電圧が印加されていない。このとき、各ドメイン１１Ｄ内に位置する複数の液晶分子１１ＢＬの配向方向はランダムである。そのため、一対の透明基材１３のいずれかから調光装置１０に入射した光は、調光層１１において等方的に散乱される。それゆえに、調光層１１は濁った状態、すなわち第２状態である。第２状態は、調光層１１において最も不透明な状態である。なお、第２状態の調光層１１は、白色に濁った状態であってもよいし、調光層１１が色素を有して有色に濁った状態であってもよい。
【００２６】
調光層１１が第２状態であるときに、ＪＩＳ  Ｋ  ７３７４：２００７に準拠した調光シートの透過像鮮明度は、７０％以下である。透過像鮮明度は、光学くし目幅が０．１２５ｍｍに設定されたときの透過像鮮明度である。これにより、調光層１１が濁った状態であるときに、調光シートの透過像鮮明度が７０％以下であるため、調光層１１が濁った状態において調光シートを介した視認性を低下させることができる。調光層１１が第２状態であるときに、調光シートの透過像鮮明度は、６０．５％以下であることが好ましい。調光層１１が第２状態である場合に、調光シートの視認性をより低下させることができる。
【００２７】
また、調光層１１が第２状態であるときに、調光シートのクラリティ（ｃｌａｒｉｔｙ）が８９．１％以下である。これにより、調光シートの透過像鮮明度が７０％以下である場合と同等の効果を得ることができる。調光層１１が第２状態であるときに、調光シートのクラリティは、８２．９％以下であることが好ましい。これにより、調光シートの像鮮明度が６０．５％以下である場合と同等の効果を得ることができる。調光シートにおいて、透過像鮮明度およびクラリティのいずれか一方のみが各パラメータにおける上述した好適な範囲に含まれてもよいし、透過像鮮明度およびクラリティの両方が、各パラメータにおける上述した好適な範囲に含まれてもよい。
【００２８】
調光層１１が第２状態であるときに、ＪＩＳ  Ｋ  ７１３６：２０００に準拠した調光シートのヘイズ（ｈａｚｅ）が、９５％以上であることが好ましい。これにより、調光シート越しに観察された被写体の輪郭における鮮明さを低下させることに加え、被写体と被写体の周りとのコントラストを低下させることもできる。それゆえに、調光層１１が第２状態である場合に、調光装置１０による被写体の隠蔽性をより高めることができる。
【００２９】
図２が示すように、駆動回路１０Ｄが調光層１１に駆動電圧を印加することによって、複数の液晶分子１１ＢＬの配向が、ランダムな配向から、光を透過する方向である例えば垂直配向に変わる。言い換えれば、各液晶分子１１ＢＬは、調光層１１が広がる平面に対して、液晶分子１１ＢＬの長軸がほぼ垂直であるように、ドメイン１１Ｄ内に位置している。そのため、一対の透明基材１３のいずれかから調光シートに入射した光は、調光層１１においてほぼ散乱されることなく調光層１１を透過する。それゆえに、調光層１１は透明の状態、すなわち第１状態である。
【００３０】
［第２の構成］
図３および図４を参照して、調光装置の第２の構成を説明する。
図３は、調光装置の第２の構成において、駆動電圧が印加されていない状態を示し、これに対して、図４は、調光装置の第２の構成において、駆動電圧が印加されている状態を示している。
【００３１】
図３が示すように、調光装置２０が備える調光シートは、調光層１１、一対の透明電極層１２、および、一対の透明基材１３に加えて、一対の配向層２１を備える。一対の配向層２１は、調光層１１の厚さ方向において調光層１１を挟み、かつ、調光層１１の厚さ方向において一対の透明電極層１２よりも中央部寄りに位置している。言い換えれば、一方の配向層２１は調光層１１と一方の透明電極層１２との間に位置し、かつ、他方の配向層２１は調光層１１と他方の透明電極層１２との間に位置している。
【００３２】
各配向層２１が垂直配向層である場合、駆動電圧が印加されていない状態で、各ドメイン１１Ｄに含まれる液晶分子１１ＢＬの配向は垂直配向である。言い換えれば、各液晶分子１１ＢＬは、調光層１１が広がる平面に対して、液晶分子１１ＢＬの長軸がほぼ垂直であるように、ドメイン１１Ｄ内に位置している。そのため、一対の透明基材１３のいずれかから調光シートに入射した光は、調光層１１においてほぼ散乱されることなく調光層１１を透過する。それゆえに、調光層１１は透明、すなわち第１状態である。
【００３３】
図４が示すように、調光層１１に駆動電圧が印加されていることによって、複数の液晶分子１１ＢＬの配向が変わる。例えば、複数の液晶分子１１ＢＬの配向は、垂直配向から水平配向に変わる。このとき、各液晶分子１１ＢＬは、液晶分子１１ＢＬの長軸が、調光層１１が広がる平面に沿って延びるように、ドメイン１１Ｄ内に位置している。そのため、一対の透明基材１３のいずれかから調光シートに入射した光は、調光層１１において散乱される。それゆえに、調光層１１は濁った状態、すなわち第２状態である。
【００３４】
こうした調光シートにおいても、上述した調光シートと同様、調光層１１が第２状態であるときに、調光シートの透過像鮮明度であって、ＪＩＳ  Ｋ  ７３７４：２００７に準拠し、かつ、光学くし目幅が０．１２５ｍｍに設定されたときの透過像鮮明度が、７０％以下である。また、調光層１１が第２状態であるときに、透過像鮮明度は、６０．５％以下であることが好ましい。言い換えれば、駆動回路１０Ｄは、調光層１１を第２状態とするときに、調光シートの透過像鮮明度が７０％以下となる駆動電圧を透明電極層１２に印加する。
【００３５】
さらには、調光層１１が第２状態であるときに、調光シートのクラリティが８９．１％以下であり、好ましくは８２．９％以下である。言い換えれば、駆動回路１０Ｄは、調光層１１を第２状態とするときに、調光シートのクラリティが８９．１％以下となる駆動電圧を透明電極層１２に印加する。なお、調光シートにおいても、透過像鮮明度およびクラリティのいずれか一方のみが各パラメータにおける上述した好適な範囲に含まれてもよいし、透過像鮮明度およびクラリティの両方が、各パラメータにおける上述した好適な範囲に含まれてもよい。調光層１１が第２状態であるときに、ＪＩＳ  Ｋ  ７１３６：２０００に準拠した調光シートのヘイズ（ｈａｚｅ）が、９５％以上であることが好ましい。
【００３６】
なお、調光層１１でのドメインサイズが小さく、かつ、調光層１１でのドメイン数密度が高いほど、調光シートの透過像鮮明度は下がる。そのため、調光シートの透過像鮮明度が７０％以下である構成は、例えば、調光層１１でのドメインサイズを縮小し、かつ、調光層１１のドメイン数密度を増大させるように、ポリマーネットワーク１１Ａを形成することによって実現可能となる。
【００３７】
［透過像鮮明度の測定方法］
図５および図６を参照して、透過像鮮明度の測定方法を説明する。上述したように、本実施形態における透過像鮮明度は、ＪＩＳ  Ｋ  ７３７４：２０００に準拠する方法によって測定された値である。以下では、透過像鮮明度の測定方法を透過像鮮明度の測定に用いられる測定装置の一例とともに説明する。
【００３８】
図５が示すように、透過像鮮明度の測定装置３０は、光源３１、光学くし３２、および、受光部３３を備える。測定装置３０において、測定対象である調光シートは、光源３１と光学くし３２との間に配置される。透過像鮮明度の測定時において、光学くし３２は、光源３１、調光シート、および、光学くし３２が並ぶ方向に対して直交する平面に沿って一定の速度で移動する。光学くし３２では、光を遮蔽する遮蔽部３２ａにおける光学くし３２の移動方向に沿う幅が、光学くし目幅である。光学くし３２では、光学くし３２が移動する方向において、遮蔽部３２ａの幅とスリットの幅とが互いに等しい。本実施形態において、光学くし目幅は０．１２５ｍｍである。
【００３９】
図６が示すように、光学くし３２を透過する光量、言い換えれば受光部３３が受光する光量は、周期的に変化する。受光部３３が受光する光量の最大値が最高光量Ｍであり、光量の最小値が最低光量ｍである。最高光量Ｍは、調光シートを透過した光が光学くし３２によって遮蔽されなかったときに得られる光量である。最低光量ｍは、調光シートを透過した光が光学くし３２によって遮蔽されたときに得られる光量である。
【００４０】
光学くし目幅がｎであるときの透過像鮮明度Ｃ（ｎ）（％）は、最高光量Ｍおよび最低光量ｍを用いて、以下の式（２）によって算出することができる。
Ｃ（ｎ）  ＝１００×（Ｍ−ｍ）／（Ｍ＋ｍ）  …  式（２）
【００４１】
［クラリティの測定方法］
図７を参照して、クラリティの測定方法を説明する。図７は、クラリティの測定に用いられる測定装置の一例を模式的に示している。
【００４２】
図７が示すように、クラリティの測定装置４０は、照射部４１、受光部４２、および、積分球４３を備える。照射部４１は、光源４１Ａとレンズ４１Ｂとを備える。光源４１Ａは白色ＬＥＤであり、レンズ４１Ｂは、光源４１Ａが放出した光を平行光に変換する。受光部４２は、中央センサー４２Ｃと、外周センサー４２Ｒとを備える。中央センサー４２Ｃおよび外周センサー４２Ｒは、それぞれ環状を有する。外周センサー４２Ｒは、中央センサー４２Ｃの外側に位置している。なお、測定装置４０は、測定対象のクラリティを測定だけでなく、ヘイズの測定にも用いることが可能である。測定装置４０の積分球４３は、ヘイズの測定時にのみ用いられる。
【００４３】
測定装置４０において、調光シートは、照射部４１と積分球４３との間に配置される。レンズ４１Ｂから射出された平行光の光束における直径は、本実施形態では１４ｍｍである。調光シートを透過した光には、調光層１１に入射した平行光ＬＰの光軸に対して直進する直進光ＬＳと、平行光ＬＰの光軸に対する角度が±２．５°以内である狭角散乱光ＬＮＳとが含まれる。受光部４２では、中央センサー４２Ｃが直進光ＬＳを受光し、外周センサー４２Ｒが狭角散乱光ＬＮＳを受光する。中央センサー４２Ｃが受光した直進光ＬＳの光量をｌＣに設定し、外周センサー４２Ｒが受光した狭角散乱光ＬＮＳの光量をｌＲに設定する。
【００４４】
クラリティは、調光層１１を透過した光のなかで、調光層１１に入射した平行光ＬＰの光軸に対して直進する直進光ＬＳの光量を光量ｌＣとし、平行光ＬＰの光軸に対する角度が±２．５°以内である狭角散乱光ＬＮＳの光量を光量ｌＲとするときに、以下の式（１）によって算出される。
１００×（ｌＣ−ｌＲ）／（ｌＣ＋ｌＲ）  …  式（１）
【００４５】
ここで、上述したように、測定装置４０を用いて調光シートにおけるヘイズを測定することが可能である。なお、ヘイズは、ＪＩＳ  Ｋ  ７１３６：２０００に準拠する方法によって測定される。また、測定装置４０を用いてヘイズを測定する場合には、積分球４３内に配置された受光部によって、調光シートを透過した光を受光する。
【００４６】
ヘイズとは、測定対象を通過する透過光のうち、前方散乱によって入射光から２．５°以上それた透過光の百分率のことである。言い換えれば、ヘイズの測定において、上述した平行光ＬＰの光軸に対する角度が±２．５°未満の光が平行光であり、±２．５°以上の光が広角散乱光である。広角散乱光の透過率を拡散透過率Ｔｄとし、平行光の透過率を平行透過率Ｔｐとし、平行透過率Ｔｐと拡散透過率Ｔｄとの和を全光透過率Ｔｔとする。このとき、ヘイズは、全光透過率Ｔｔ中の拡散透過率Ｔｄの割合である。
【００４７】
上述したように、１つの測定装置４０を用いて調光シートのクラリティとヘイズとを測定することが可能ではある。しかしながら、クラリティとヘイズとは、調光シートにおける全く異なる性質を数値化するためのパラメータである。また、透過像鮮明度は、クラリティが数値化する性質と同等の性質を数値化するためのパラメータであることから、透過像鮮明度とヘイズとは、調光シートにおける全く異なる性質を数値化するためのパラメータである。
【００４８】
つまり、ヘイズとは広角散乱光を用いて調光シートの状態を評価するパラメータである。そのため、ヘイズによれば、調光シートを目視によって観察した場合に、観察者が知覚する調光シート全体の濁り度合い、例えば、調光シート全体の白茶け度合いを評価することが可能である。これにより、観察者が、調光シートを介して被写体を視認したときには、調光シートにおけるヘイズの値が大きいほど、調光シート越しの被写体と、被写体の周囲とのコントラストが低下し、観察者には被写体がかすんで見える。このように、ヘイズとは、あくまで調光シートの濁り度合いを評価するためのパラメータである。
【００４９】
これに対して、クラリティとは狭角散乱光を用いて調光シートの状態を評価するパラメータである。そのため、クラリティによれば、調光シートを通した被写体の像において、被写体における非常に微小な部分が、どの程度鮮明であるかを評価することが可能である。これにより、観察者が、調光シートを介して被写体を視認したときには、調光シートにおけるクラリティの値が小さいほど、調光シート越しの被写体における輪郭がぼやける、言い換えれば、被写体の鮮明さが低下する。このように、クラリティとは、調光シートを介して視認された被写体の像における鮮明さを評価するものであり、ヘイズとは全く異なる性質を評価するものである。すなわち、クラリティによれば、ヘイズによって評価することのできない調光シートの性質を評価することが可能である。
【００５０】
上述したように、ヘイズとは、調光シート全体の濁り度合いを評価するパラメータである。そのため、調光シートにおける不透明さをヘイズによって評価した場合には、調光シートの濁り度合いは十分であっても、調光シート越しに視認された被写体の輪郭が鮮明であることもある。言い換えれば、ヘイズによって評価された調光シートには、調光シートを介して視認された被写体の輪郭を不鮮明にする能力が不足したシートが含まれ得る。また言い換えれば、ヘイズの値が同程度である複数の調光シートには、クラリティの値が互いに異なる調光シートが含まれ得る。これらの調光シートでは、濁り度合いは互いにほぼ等しい一方で、調光シート越しに視認された被写体において、輪郭のぼやけ度合いが互いに異なる。そして、こうした輪郭のぼやけ度合いの差は、調光シートが観察者によって目視された場合に、不透明さの度合いの違いとして観察者に知覚される。結果として、ヘイズの値による不透明さの評価と、目視による不透明さの評価との間に乖離が生じる。
【００５１】
この点で、調光シートの不透明さをクラリティによって評価した場合には、クラリティが小さいほど、調光シート越しに観察した被写体における輪郭のぼやけ度合いが高まる。それゆえに、クラリティによる不透明さの評価と、目視による不透明さの評価との間に、乖離が生じることが抑えられる。
【００５２】
ここで、調光シートが車両の窓ガラスや、建築物の窓ガラスに適用されることがある。この場合、調光シートには、調光シートが第２状態である、すなわち濁った状態であることによって、車両内や建築物内に滞在する被写体におけるプライバシーの保護性が高いことが求められる。プライバシーの保護性が高いとは、車両内や建築物内に滞在する被写体の特定が困難であること、あるいは、被写体が滞在しているか否かの判断が困難である程度に、調光シートによる隠蔽性が高いことを意味する。
【００５３】
クラリティを用いて調光シートの不透明さを評価することによれば、調光シート越しに視認された被写体の輪郭がぼやける程度に濁った調光シートを選択することができる。そのため、クラリティの値によって、プライバシーの保護性の高低を測ることができ、結果として、プライバシーの保護性が高い調光シートを得ることが可能である。
【００５４】
クラリティが上述した範囲であることによって、調光シートを介して視認される被写体の像における不鮮明さが確実に担保される。このような調光シートは、特に、調光シートから被写体までの距離が近い場合や、被写体を照明する光源の照明範囲が狭い、あるいは、被写体への照射光量が大きい場合に好適に使用される。
【００５５】
上述したように、調光シートの不透明さは、ヘイズによって評価されていた。しかしながら、用途が多様化する調光シートにおいて、用途に関わらず被写体に対するプライバシーの保護性を高める上では、調光シートの不透明さをヘイズによって評価することは好適ではない場合が認められた。そのため、調光シートが満たすべき新たなパラメータとしてクラリティが見出された。さらには、クラリティにおいて、プライバシーの保護性を高める上で好適な数値の範囲が見出された。本実施形態における調光シート、および、調光シートを備える調光装置とは、こうした経過によってはじめて導かれるものである。
【００５６】
なお、上述した透過像鮮明度を用いて調光シートの不透明さを評価した場合にも、クラリティを用いて調光シートの不透明さを評価した場合と同等の効果を得ることができる。すなわち、透過像鮮明度によれば、透過像鮮明度による不透明さの評価と、目視による不透明さの評価とに乖離が生じることが抑えられる。
【００５７】
［調光装置の管理方法］
調光装置の管理方法は、調光装置の製造方法や、調光装置の制御方法に用いられる。調光装置の管理方法は、調光層１１が正常であるか否かの判定を行う。調光層１１が正常であると判定する条件の一例は、下記条件１を含む。また、調光層１１が正常であると判定する条件の他の例は、下記条件２を含む。さらに、調光層１１が正常であると判定する条件の他の例は、下記条件１、および、条件２の両方を含む。
【００５８】
（条件１）調光層１１が第２状態であるときに、ＪＩＳ  Ｋ  ７３７４：２００７に準拠した透過像鮮明度であって、光学くし目幅が０．１２５ｍｍに設定されたときの調光シートの透過像鮮明度が、７０％以下である。
（条件２）調光層１１が前記第２状態であるときに、クラリティが８９．１％以下である。クラリティは、上述した式（１）によって算出される。
【００５９】
調光装置の管理方法が調光装置の製造方法に用いられる場合、調光装置の製造方法は、調光シートの透過像鮮明度を測定することと、透過像鮮明度が条件１を満たす調光シートを正常であると判定することとを含む。また、調光装置の管理方法が調光装置の製造方法に用いられる場合、調光装置の製造方法は、調光シートの透過像鮮明度を測定することと、透過像鮮明度が条件２を満たす調光シートを正常であると判定することとを含む。
【００６０】
調光装置の管理方法が調光装置の制御方法に用いられる場合、調光装置の制御方法は、調光シートの透過像鮮明度が条件１を満たす所定の駆動電圧を、駆動回路が調光シートに印加することを含む。また、調光装置の管理方法が調光装置の制御方法に用いられる場合、調光装置の制御方法は、調光シートの透過像鮮明度が条件２を満たす所定の駆動電圧を、駆動回路が調光シートに印加することを含む。
【００６１】
これらの製造方法によっても、調光シートの不透明さを、調光シート越しの被写体における輪郭のぼやけ具合、言い換えれば不鮮明さによって評価することができる。また、これらの制御方法によっても、調光シートの不透明さが、調光シート越しの被写体における輪郭のぼやけ具合、言い換えれば不鮮明さを十分とするように調光装置を駆動できる。そのため、調光シートの不透明さを調光シートの濁り度合いによって評価したり制御したりする場合よりも、目視による不透明さの評価との乖離を抑えることができる。
【００６２】
［試験例］
図８および図９を参照して、試験例を説明する。
［目視評価と各パラメータとの関係］
５つの調光シートを準備し、各調光シートが第２状態であるときの透明度を目視によって評価した。各調光シートとして、上述した第１の構成の調光シートを準備した。透明度を目視によって評価したときには、第２状態である調光シートの背面から８０ｃｍの位置に光量が約３５００ｌｍの蛍光灯を配置し、調光シートの前面から２０ｃｍの位置から目視によって観察した。このとき、観察者の視点、調光シート、および、蛍光灯を同一直線上に配置した。この状態において、蛍光灯の視認性が最も低い、言い換えれば対象物が最も見難いものから順に順位付けをした。
【００６３】
各調光シートについて、各調光シートが第２状態であるときのクラリティ、透過像鮮明度、および、ヘイズを測定した。透過像鮮明度の測定には、写像性測定機（ＩＣＭ‐１Ｔ、スガ試験機（株）製）を用い、かつ、ＪＩＳ  Ｋ  ７３７４：２００７に準拠した方法を用いた。ヘイズの測定には、ヘーズメーター（ＮＤＨ７０００ＳＤ、日本電色工業（株）製）を用い、かつ、ＪＩＳ  Ｋ  ７１３６：２０００に準拠した方法を用いた。クラリティの測定には、ヘイズ・透明性測定器（ヘイズガードｉ、ＢＹＫ−Ｇａｒｄｎｅｒ社製）を用いた。
【００６４】
目視による順位付けの結果と、クラリティ、透過像鮮明度、および、ヘイズの各々の測定結果とは、図８に示す通りであった。
図８が示すように、クラリティの値は、目視による順位が高い調光シートから順に、４９．０％、６４．６％、６６．８％、７５．８％、８１．７％であることが認められた。また、透過像鮮明度の値は、目視による順位が高い調光シートから順に、３０．４％、３６．５％、４２．６％、５１．５％、５６．２％であることが認められた。このように、クラリティの値、および、透過像鮮明度の値は、目視による順位が高いほど、低い値であることが認められた。すなわち、クラリティおよび透過像鮮明度は、観察者が目視によって知覚する透明度、言い換えれば不透明さを高い精度で引き写すことが可能なパラメータであることが認められた。
【００６５】
これに対して、ヘイズの値は、目視による準備が高い調光シートから順に、９８．５％、９８．２％、９８．５％、９７．９％、９８．１％であることが認められた。このように、ヘイズの値は、クラリティの値および透過像鮮明度の値に比べて、目視による順位との相関性が低いことが認められた。すなわち、ヘイズは、観察者が目視によって知覚する透明度、言い換えれば不透明さとは乖離が生じやすいパラメータであることが認められた。
【００６６】
［調光シートによる隠蔽性］
試験例１から試験例１０の調光シートを準備し、図９に示す方法で、各調光シートの隠蔽性を評価した。なお、試験例１から試験例１０の調光シートとして、第１の構成の調光シートを準備した。
【００６７】
試験例１から試験例１０の調光シートにおいて、クラリティ、透過像鮮明度、および、ヘイズを測定した。なお、クラリティ、透過像鮮明度、および、ヘイズの各々は、上述した５つの調光シートにおいて各パラメータの値を測定したときと同じ条件で測定した。各調光シートにおいて、クラリティ、透過像鮮明度、および、ヘイズの測定結果は、以下の表１に示す通りであった。
【００６８】
【表１】
2019200284.tif 000003
【００６９】
図９が示すように、高さ方向における光源Ｌと観察者ＯＢとの間の差を高さＨに設定した。調光シートの前面と観察者ＯＢとの間の距離を第１距離Ｄ１に設定し、調光シートの背面と光源Ｌとの間の距離を第２距離Ｄ２に設定し、光源Ｌと観察対象５１との間の距離を第３距離Ｄ３に設定した。そして、高さＨを１５０ｃｍに設定し、第１距離Ｄ１および第２距離Ｄ２を５０ｃｍに設定し、第３距離Ｄ３を１００ｃｍに設定した。このとき、光源Ｌとして、光量が約３５００ｌｍである蛍光灯を用いた。また、観察対象５１として、白色の正方形と黒色の正方形とが、横方向および縦方向の両方において交互に並ぶチェックパターン（byko-charts、ＢＹＫ社製）を用いた。なお、各正方形において、一辺の長さが３１ｍｍであった。
【００７０】
１５人の被験者によって、試験例１から試験例１０の各々の調光シート越しにチェックパターンを視認することが可能であるか否かを評価した。なお、調光シート越しに観察対象５１を観察したときに、観察対象５１において、白色の正方形と黒色の正方形との境界が不鮮明である場合を「○」とし、白色の正方形と黒色の正方形との境界が鮮明である場合を「×」とした。評価結果は、以下の表２に示す通りであった。
【００７１】
【表２】
2019200284.tif 000004
【００７２】
表２が示すように、試験例８の調光シートによれば、１名の被験者が調光シートによる隠蔽性が高いと判断することが認められた。また、試験例６の調光シートによれば、１０名の被験者、言い換えれば被験者の２／３が調光シートによる隠蔽性が高いと判断することが認められた。また、試験例２の調光シートによれば、全ての被験者が調光シートによる隠蔽性が高いと判断することが認められた。
【００７３】
こうした結果から、高い隠蔽性を有した調光シートにおいて、調光シートのクラリティが８９．１％以下であり、好ましくは８２．９％以下であり、さらに好ましくは７２．７％以下であることが認められた。また、高い隠蔽性を有した調光シートにおいて、調光シートの透過像鮮明度が７０．０％以下であり、好ましくは６９．５％以下であり、さらに好ましくは５０．６％以下であることが認められた。
【００７４】
なお、調光シートとして第２の構成の調光シートを準備した場合には、調光層に対して、液晶分子の駆動電圧として液晶分子の配向が電圧の増大で変化し難い程度の電圧である飽和電圧を印加した状態で、第２状態を評価することができる。
【００７５】
以上説明したように、調光シート、および、調光シートの管理方法における一実施形態によれば、以下に列挙する効果を得ることができる。
（１）調光シートの不透明を、調光シート越しの被写体における輪郭のぼやけ具合、言い換えれば不鮮明さによって評価することができる。そのため、調光シートの不透明さを調光シートの濁り度合いによって評価したり制御したりする場合よりも、目視による不透明さの評価との乖離を抑えることができる。
【００７６】
（２）調光層１１が第２状態である調光シートを観察者ＯＢが観察した場合に、観察者ＯＢが、調光シートが不透明であると判断する確実性をより高めることができる。
（３）調光シート越しに観察された被写体の輪郭における鮮明さを低下させることに加え、被写体と被写体の周りとのコントラストを低下させることもできる。それゆえに、調光層１１が第２状態である場合に、調光シートによる被写体の隠蔽性をより高めることができる。
【００７７】
なお、上記実施形態は、以下のように変更して実施することができる。
・調光装置は、調光シートの不透明さを複数の階調で変更する制御部をさらに備えることも可能である。この際、調光装置の駆動を制御する制御部は、相互に異なる透過像鮮明度を駆動電圧に変換するためのテーブルなどの情報を備え、外部の操作機器などから指定される透過像鮮明度に対応づけられた駆動電圧を駆動回路に印加させる。あるいは、調光装置の駆動を制御する制御部は、相互に異なるクラリティを駆動電圧に変換するためのテーブルなどの情報を備え、外部の操作機器などから指定される透過像鮮明度に対応付けられた駆動電圧を駆動回路に印加させる。これらの制御部を備える調光装置によれば、調光シートの不透明さを目視による不透明さに基づいて複数段に変更することが可能であるから、調光装置の利用者の意図に準じた不透明さを調光装置で実現することが可能となる。
【００７８】
・第２の構成の調光装置２０において、調光シートに対して飽和電圧よりも小さい駆動電圧が印加されたときに、調光シートにおける透過像鮮明度が７０％以下であってもよいし、調光シートにおけるクラリティが８９．１％以下であってもよい。
【００７９】
・上記実施形態は平面状の調光シートを想定している。ここで、本発明に係る調光シートは、ＰＥＴなどの樹脂フィルムをベース材として使用している。そのため、本発明に係る調光シートは可撓性を有する。つまり、本発明に係る調光シートは、曲面加工にも優れた適応を示す。例えば、自由曲面に加工する場合、本発明に係る調光シートは少なくとも曲率が最大となる領域において上記の各条件を満たすことが望ましい。
【符号の説明】
【００８０】
１０，２０…調光装置、１１…調光層、１１Ａ…ポリマーネットワーク、１１Ｂ…液晶組成物、１１ＢＬ…液晶分子、１１Ｄ…ドメイン、１２…透明電極層、１３…透明基材、２１…配向層、３０，４０…測定装置、３１，４１Ａ，Ｌ…光源、３２…光学くし、３２ａ…遮蔽部、３３…受光部、４１…照射部、４１Ｂ…レンズ、４２…受光部、４２Ｃ…中央センサー、４２Ｒ…外周センサー、４３…積分球、５１…観察対象、ＯＢ…観察者。
【図１】
2019200284.tif 000005
【図２】
2019200284.tif 000006
【図３】
2019200284.tif 000007
【図４】
2019200284.tif 000008
【図５】
2019200284.tif 000009
【図６】
2019200284.tif 000010
【図７】
2019200284.tif 000011
【図８】
2019200284.tif 000012
【図９】
2019200284.tif 000013
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
透明な状態である第１状態と、濁った状態である第２状態とを、駆動電圧の印加の有無に応じた液晶分子の配向の切り替わりで切り替え可能に構成された調光層と、前記調光層を挟む一対の透明電極層とを備えた調光シートを備え、
前記調光層は、前記駆動電圧が印加されていないときに前記第２状態であり、
ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度であり、
前記調光層が前記第２状態であるときに、前記調光シートの透過像鮮明度が７０％以下であり、
相互に異なる透過像鮮明度を前記駆動電圧に変換するための情報を用いて前記調光シートの不透明さを複数の階調で変更する制御部をさらに備える
調光装置。
【請求項２】
透明な状態である第１状態と、濁った状態である第２状態とを、駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートを備え、
前記調光層は、前記駆動電圧が印加されているときに前記第２状態であり、
ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度であり、
前記調光層が前記第２状態であるときに、前記調光シートの透過像鮮明度が７０％以下であり、
相互に異なる透過像鮮明度を前記透明電極層に印加する電圧に変換するための情報を用いて前記調光シートの不透明さを複数の階調で変更する制御部をさらに備える
調光装置。
【請求項３】
透明な状態である第１状態と、濁った状態である第２状態とを、駆動電圧の印加の有無
に応じた液晶分子の配向の切り替わりで切り替え可能に構成された調光層と、前記調光層を挟む一対の透明電極層と、を備えた調光シートを備え、
前記調光層は、前記駆動電圧が印加されていないときに前記第２状態であり、
前記調光層が前記第２状態であるときに、前記調光シートのクラリティ（ｃｌａｒｉｔｙ）が８９．１％以下であり、
前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出され、
１００×（ｌＣ−ｌＲ）／（ｌＣ＋ｌＲ）  …  式（１）
相互に異なるクラリティを前記駆動電圧に変換するための情報を用いて前記調光シートの不透明さを複数の階調で変更する制御部をさらに備える
調光装置。
【請求項４】
透明な状態である第１状態と、濁った状態である第２状態とを、駆動電圧の印加の有無に応じた液晶分子の配向の切り替わりで切り替え可能に構成された調光層と、前記調光層を挟む一対の配向層と、前記一対の配向層を挟む一対の透明電極層と、を備えた調光シートを備え、
前記調光層は、前記駆動電圧が印加されているときに前記第２状態であり、
前記調光層が前記第２状態であるときに、前記調光シートのクラリティ（ｃｌａｒｉｔｙ）が８９．１％以下であり、
前記クラリティは、前記調光シートを透過した光のなかで、前記調光シートに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出され、
１００×（ｌＣ−ｌＲ）／（ｌＣ＋ｌＲ）  …  式（１）
相互に異なるクラリティを前記透明電極層に印加する電圧に変換するための情報を用いて前記調光シートの不透明さを複数の階調で変更する制御部をさらに備える
調光装置。
【請求項５】
前記調光層が前記第２状態であるときに、ＪＩＳ  Ｋ  ７１３６：２０００に準拠した前記調光シートのヘイズ（ｈａｚｅ）が、９５％以上である
請求項１から４のいずれか一項に記載の調光装置。
【請求項６】
透明な状態である第１状態と、濁った状態である第２状態とを、駆動電圧の印加の有無に応じた液晶分子の配向の切り替わりで切り替え可能に構成された調光層と、前記調光層を挟む一対の透明電極層と、を備える調光シートを備えた調光装置を管理する調光装置の管理方法であって、
ＪＩＳ  Ｋ  ７３７４：２００７に準拠した透過像鮮明度であって、光学くし目幅が０．１２５ｍｍに設定されたときの透過像鮮明度が、前記調光シートの透過像鮮明度であり、
前記調光層が正常であるか否かを判定することを含み、
前記調光層が正常であると判定する条件に、前記調光層が前記第２状態であるときに、前記調光シートの透過像鮮明度が７０％以下であることを含む
調光装置の管理方法。
【請求項７】
透明な状態である第１状態と、濁った状態である第２状態とを、駆動電圧の印加の有無に応じた液晶分子の配向の切り替わりで切り替え可能に構成された調光層と、前記調光層を挟む一対の透明電極層と、を備える調光シートを備えた調光装置を管理する調光装置の管理方法であって、
前記調光層が正常であるか否かを判定することを含み、
前記調光層が正常であると判定する条件に、前記調光層が前記第２状態であるときに、クラリティ（ｃｌａｒｉｔｙ）が８９．１％以下であることを含み、
前記クラリティは、前記調光層を透過した光のなかで、前記調光層に入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される
１００×（ｌＣ−ｌＲ）／（ｌＣ＋ｌＲ）  …  式（１）
調光装置の管理方法。
【請求項８】
請求項６または７に記載の調光装置の管理方法を含む調光装置の製造方法。